(57)【特許請求の範囲】
【請求項１】
紙幣を収納し、収納した紙幣を分離して繰出す複数の入出金庫と、各入出金庫と紙幣搬送路で結ばれ、該入出金庫から繰り出された紙幣を鑑別部で計数しながら回収し、回収した紙幣を分離して繰出し、鑑別部で計数しながら各入出金庫へ補充する補充回収ボックスとを備え、前記入出金庫に収納された紙幣を補充回収ボックスに回収し、その回収された紙幣を再び該入出金庫へ補充する精査を順次すべての入出金庫について行い有高を確定させる紙幣入出金機において、
補充回収ボックスに回収可能な紙幣の枚数を示す回収許容量を記憶する記憶部と、
該回収許容量を超えた紙幣を収納する入出金庫からその回収許容量を超えた紙幣を補充回収ボックスに回収し、収納している紙幣の枚数が回収許容量に満たない他の入出金庫へ該回収許容量を超えないように回収した紙幣を補充する均し補充手段とを設け、
精査を行う前に前記均し補充を行うようにしたことを特徴とする紙幣入出金機。
【発明の詳細な説明】
【技術分野】
【０００１】
本発明は、自動取引装置等に搭載される紙幣入出金機に関し、特に、複数の紙幣入出金庫に収納された紙幣の精査を行う紙幣入出金機に関する。
【背景技術】
【０００２】
従来の紙幣入出金機は、複数備えられた紙幣入出金庫のうちのひとつから収納されているすべての紙幣を金種、枚数を鑑別しながら補充回収ボックスに回収し、その回収したすべての紙幣を回収した紙幣入出金庫に金種、枚数を鑑別しながら再度補充することでその紙幣入出金庫の有高を確定し、順次すべての紙幣入出金庫について有高を確定していって全体の有高を確定する精査を行うようにしている（例えば、特許文献１参照）。
【特許文献１】特開平０８−３２９３１７号公報（段落「０１２２」〜段落「０１６１」、図７）
【発明の開示】
【発明が解決しようとする課題】
【０００３】
しかしながら、上述した従来の技術においては、複数備えられた紙幣入出金庫のうちのひとつでも紙幣入出金庫に収納されている紙幣の量が補充回収ボックスに回収できる容量を超える場合、その紙幣入出金庫に収納されているすべての紙幣を補充回収ボックスに回収することができないため、その紙幣入出金庫の有高を確定させることができず、係員による補充回収ボックスの交換等の介入が必要であるという問題がある。
【０００４】
特に、近年、防犯上の観点から補充回収ボックスの容量の小型化が図られている紙幣入出金機ではこのような問題が発生しやすくなっている。
本発明は、このような問題を解決することを課題とする。
【課題を解決するための手段】
【０００５】
そのため、本発明は、紙幣を収納し、収納した紙幣を分離して繰出す複数の入出金庫と、各入出金庫と紙幣搬送路で結ばれ、該入出金庫から繰り出された紙幣を鑑別部で計数しながら回収し、回収した紙幣を分離して繰出し、鑑別部で計数しながら各入出金庫へ補充する補充回収ボックスとを備え、前記入出金庫に収納された紙幣を補充回収ボックスに回収し、その回収された紙幣を再び該入出金庫へ補充する精査を順次すべての入出金庫について行い有高を確定させる紙幣入出金機において、補充回収ボックスに回収可能な紙幣の枚数を示す回収許容量を記憶する記憶部と、該回収許容量を超えた紙幣を収納する入出金庫からその回収許容量を超えた紙幣を補充回収ボックスに回収し、収納している紙幣の枚数が回収許容量に満たない他の入出金庫へ該回収許容量を超えないように回収した紙幣を補充する均し補充手段とを設け、精査を行う前に前記均し補充を行うようにしたことを特徴とする。
【発明の効果】
【０００６】
このようにした本発明は、収納されている紙幣の容量が補充回収ボックスに回収できる容量を超える入出金庫が存在する場合であっても、係員による介入を得ることなく、入出金庫の有高を確定させることができるという効果が得られる。
【発明を実施するための最良の形態】
【０００７】
以下、図面を参照して本発明による紙幣入出金機の実施例を説明する。
【実施例】
【０００８】
図２は実施例における紙幣入出金機の構成を示す説明図である。
図２において、１は紙幣入出金機であり、紙幣の入金処理、出金処理、補充処理および回収処理を行うものである。ここで、入金処理とは紙幣入出金機１に投入された紙幣を繰出して計数等し、入出金庫へ収納する処理であり、出金処理とは、入出金庫に収納された紙幣を繰出して計数等し、接客口へ集積させる処理である。
【０００９】
また、補充処理とは、後述する補充回収ボックスに装填等された紙幣を繰出して計数等し、入出金庫へ収納する処理であり、回収処理とは入出金庫に収納された紙幣を繰出して計数等し、補充回収ボックスへ収納させる処理である。
２は接客口であり、顧客により投入される紙幣を受付け、また、顧客へ出金する紙幣を集積する部位である。投入された紙幣は図示しないローラ機構等で１枚ずつ分離して繰り出すことができ、また、出金される紙幣を図示しないローラ機構等で集積することができる。
【００１０】
３は入出金庫であり、紙幣を収納するものである。この入出金庫３は内部に配置されたステージが図示しない昇降機構により上下動し、集積機構により収納される紙幣はこのステージ上に集積される。また、収納された紙幣は入出金庫３の上部に設けられた図示しないローラ機構等の分離機構で１枚ずつ分離して繰り出すことができる。
この入出金庫３は、本実施例では、それぞれ同一構造の入出金庫Ａ３ａ、入出金庫Ｂ３ｂ、入出金庫Ｃ３ｃおよび入出金庫Ｄ３ｄの４つの入出金庫３で構成されたものとする。なお、入出金庫３は４つに限られることなく、２以上であればいくつであってもよい。
【００１１】
また、入出金庫Ａ３ａおよび入出金庫Ｂ３ｂに万円券を、入出金庫Ｃ３ｃおよび入出金庫Ｄ３ｄに千円券を収納するものとするが、それに限られることなく、入出金庫Ａ３ａおよび入出金庫Ｂ３ｂに万円券を、入出金庫Ｃ３ｃに二千円券、入出金庫Ｄ３ｄに千円券を収納するようにしてもよく、任意に設定できるものとする。
さらに、ひとつの入出金庫３に異なる金種の紙幣を収納するようにしてもよい。
【００１２】
４は紙幣搬送路であり、紙幣を挟持して搬送するベルトおよびローラ等で構成され、正逆双方向に搬送することができるものである。この紙幣搬送路４は接客口２と入出金庫３および後述する入出金リジェクトボックスとを結び、また、入出金庫３と後述する補充回収ボックスおよび補充回収リジェクトボックスとを結ぶものである。
さらに、この紙幣搬送路４には適宜な間隔でセンサ等が配置され、紙幣の走行状態を感知する。
【００１３】
５は鑑別部であり、接客口２と入出金庫３、入出金庫３と補充回収ボックスとの間に配置されるものである。この鑑別部５は光学式センサ等により通過する紙幣の画像データ等を取得し、その画像データ等と図示しない紙幣鑑別データベースに予め登録された画像データ等を照合して紙幣の真偽、金種等の鑑別および計数を行う。
６は入出金リジェクトボックスであり、入金処理および出金処理において鑑別部５が偽券等と鑑別した紙幣（以下、「リジェクト紙幣」という。）を収納するものである。
【００１４】
７は補充回収ボックスであり、入出金庫３の紙幣を回収して収納し、また、取外し可能になっており、係員等により外部から装填された紙幣を収納するものである。この補充回収ボックス７は図示しない紙幣を集積させる集積機構や紙幣を分離する分離機構が設けられ、その集積機構により入出金庫３の紙幣を回収して収納し、また、その分離機構により回収等された紙幣を１枚ずつ分離して繰り出し、入出金庫３へ補充する。
【００１５】
８は補充回収リジェクトボックスであり、補充処理および回収処理においてリジェクト紙幣を収納するものである。
このように紙幣入出金機１は、接客口２、入出金庫３、紙幣搬送路４、鑑別部５、入出金リジェクトボックス６、補充回収ボックス７および補充回収リジェクトボックス８等で構成され、上述した入金処理、出金処理、補充処理および回収処理を行うものである。
【００１６】
図３は実施例における紙幣入出金機の制御系の構成を示すブロック図である。
図３において、２１は入出金庫Ａ分離／集積部であり、入出金庫Ａ３ａのステージ昇降機構、分離機構および集積機構等を制御し、紙幣の分離繰出し動作および集積動作を行うものである。
２２は入出金庫Ｂ分離／集積部、２３は入出金庫Ｃ分離／集積部、２４は入出金庫Ｄ分離／集積部であり、それぞれ入出金庫Ｂ３ｂ、入出金庫Ｃ３ｃおよび入出金庫Ｄ３ｄのステージ昇降機構、分離機構および集積機構等を制御し、紙幣の分離繰出し動作および集積動作を行うものである。
【００１７】
２５は補充回収ボックス分離／集積部であり、補充回収ボックス７のステージ昇降機構、分離機構および集積機構等を制御し、紙幣の分離繰出し動作および集積動作を行うものである。
２６は搬送部であり、紙幣搬送路４等を制御し、紙幣を搬送する動作を行うものである。なお、紙幣搬送路４の分岐点には切替ブレードが設けられ、その切替ブレードを制御することで紙幣の搬送先を切り替えることができる。
【００１８】
２８は記憶部であり、半導体メモリ等で構成され情報を記憶し、記憶した情報を読取ることができるものである。この記憶部２８には紙幣入出金機１全体の動作を制御する制御プログラム（ソフトウェア）等を記憶し、また、入出金庫Ａ３ａ、入出金庫Ｂ３ｂ、入出金庫Ｃ３ｃ、入出金庫Ｄ３ｄおよび補充回収ボックス７に収納された紙幣の枚数をそれぞれのカウンタとして記憶する。
【００１９】
２９は制御部であり、ＣＰＵ等の演算および制御手段等で構成されたものである。この制御部２９は入出金庫Ａ分離／集積部２１、入出金庫Ｂ分離／集積部２２、入出金庫Ｃ分離／集積部２３、入出金庫Ｄ分離／集積部２４、補充回収ボックス分離／集積部２５、搬送部２６、鑑別部５および記憶部２８を含めて紙幣入出金機１全体の動作を記憶部２８に格納された制御プログラム（ソフトウェア）に基づいて制御する。
【００２０】
上述した構成の作用について説明する。
図１は実施例における均し補充動作の説明図である。
まず、図１において、１１は回収許容量であり、補充回収ボックス７に回収することができる入出金庫３内の紙幣容量を示すものである。ここで、この回収許容量１１は入出金庫３内のステージを最下に配置したときの位置を示すものであり、本実施例を説明するために設けたものであるが、回収許容量は記憶部２８に予め記憶されているものとする。
【００２１】
例えば、補充回収ボックス７の紙幣収納量が１０００枚とすると、各入出金庫３の回収許容量１１も１０００枚となるものとする。
なお、本実施例では、補充回収ボックス７に紙幣が１枚も収納されていない例で説明するが、紙幣が収納されている場合はその収納された紙幣の容量（枚数）を回収許容量１１から減算するようにしてもよい。また、回収許容量１１は紙幣の枚数で表すものとするが厚み等で表すようにしてもよい。
【００２２】
図１（ａ）に示すように、入出金庫Ｂ３ｂおよび入出金庫Ｄ３ｄに収納された紙幣が回収許容量１１を超え、入出金庫Ａ３ａおよび入出金庫Ｃ３ｃに収納された紙幣が回収許容量１１を下回り、さらに、入出金庫Ｂ３ｂおよび入出金庫Ｄ３ｄにおける回収許容量１１を超えた紙幣の枚数が入出金庫Ａ３ａにおける回収許容量１１を下回る紙幣の枚数、すなわち、回収許容量１１から収納された紙幣の枚数を減算した枚数よりも少ないものとする。
【００２３】
ここで、入出金庫Ａ３ａ、入出金庫Ｂ３ｂ、入出金庫Ｃ３ｃおよび入出金庫Ｄ３ｄに収納された紙幣の枚数は記憶部２８にカウンタとして記憶されているものとする。
次に、入出金庫Ｂ３ｂに収納されている紙幣のうち回収許容量１１を超えている紙幣を入出金庫Ｂ分離／集積部２２は１枚ずつ分離して繰出し、搬送部２６はその繰出された紙幣を補充回収ボックス７へ搬送する。搬送された紙幣は補充回収ボックス分離／集積部２５により補充回収ボックス７内に集積される。１枚ずつ分離して繰出された紙幣は鑑別部５により鑑別・計数等され、回収許容量１１を超えている紙幣を分離して繰出したことを検知すると入出金庫Ｂ分離／集積部２２はその動作を停止する。例えば、入出金庫Ｂ３ｂに収納されている紙幣が１１００枚、回収許容量１１を１０００枚とすると回収許容量１１を超えている紙幣は１００枚となり、その１００枚の紙幣を入出金庫Ｂ３ｂから補充回収ボックス７へ搬送する。
【００２４】
また、同様に、入出金庫Ｄ３ｄに収納されている紙幣のうち回収許容量１１を超えている紙幣を入出金庫Ｄ分離／集積部２４により１枚ずつ分離して繰出し、搬送部２６はその繰出された紙幣を補充回収ボックス７へ搬送する。搬送された紙幣は補充回収ボックス分離／集積部２５により補充回収ボックス７内に集積される。１枚ずつ分離して繰出された紙幣は鑑別部５により鑑別・計数等され、回収許容量１１を超えている紙幣を分離して繰出したことを検知すると入出金庫Ｂ分離／集積部２２はその動作を停止する。例えば、入出金庫ｄ３ｄに収納されている紙幣が１２００枚、回収許容量１１を１０００枚とすると回収許容量１１を超えている紙幣は２００枚となり、その２００枚の紙幣を入出金庫ｄ３ｄから補充回収ボックス７へ搬送する。
【００２５】
このようにして、図１（ｂ）に示すように入出金庫３に収納されている紙幣のうち回収許容量１１を超えている紙幣（本実施例では合計３００枚の紙幣）を補充回収ボックス７へ搬送する。
入出金庫３に収納されている紙幣のうち回収許容量１１を超えている紙幣を補充回収ボックス７へ搬送すると補充回収ボックス分離／集積部２５はその紙幣を収納されている紙幣が回収許容量１１を下回る入出金庫３へ搬送する。本実施例では、図１（ｃ）に示すように補充回収ボックス７へ搬送された３００枚の紙幣を入出金庫Ａ３ａへ搬送するものとする。なお、入出金庫Ａ３ａに収納されている紙幣は７００枚以下とする。
【００２６】
このようにして、すべての入出金庫３に収納される紙幣が回収許容量１１を超えないように均し補充を行う（均し補充手段）。その後、入出金庫Ａ３ａ、入出金庫Ｂ３ｂ、入出金庫Ｃ３ｃおよび入出金庫Ｄ３ｄ毎に収納されたすべての紙幣を鑑別および計数等しながら補充回収ボックス７に回収し、また、その紙幣を鑑別および計数等しながら回収した入出金庫３へ補充して有高を確定させ、順次すべての入出金庫３について有高を確定していって全体の有高を確定する精査を行う（特開平０８−３２９３１７号公報  段落「０１２２」〜段落「０１６１」）。
【００２７】
なお、本実施例では、回収許容量１１を超えている紙幣を補充回収ボックス７へ搬送し、その紙幣をひとつの入出金庫３へ搬送するようにしたが、ひとつの入出金庫３に収納することができない場合、すなわち、すべての紙幣を収納すると回収許容量１１を超えてしまう場合、収納する紙幣の量が回収許容量１１を下回る他の入出金庫３に収納するようにしてもよい。
【００２８】
このとき、各入出金庫３における回収許容量１１を超えている紙幣の総和が各入出金庫３における回収許容量１１を下回る紙幣容量の総和を超えないものとする。
以上説明したように、本実施例では、収納されている紙幣の量が補充回収ボックスに回収できる回収許容量を超える入出金庫が存在する場合であっても、その回収許容量を超える紙幣を、回収許容量を超えない他の入出金庫へ移動させることにより、係員による介入を得ることなく、入出金庫の有高を確定させることができるという効果が得られる。
【００２９】
また、係員による介入を不要にすることにより、自動取引装置の休止率の低減を図ることができるとともに、金銭トラブル等を防止してセキュリティを確保することができるという効果が得られる。
【図面の簡単な説明】
【００３０】
【図１】実施例における均し補充動作の説明図
【図２】実施例における紙幣入出金機の構成を示す説明図
【図３】実施例における紙幣入出金機の制御系の構成を示すブロック図
【符号の説明】
【００３１】
１    紙幣入出金機
２    接客口
３    入出金庫
４    紙幣搬送路
５    鑑別部
６    入出金リジェクトボックス
７    補充回収ボックス
８    補充回収リジェクトボックス
２１  入出金庫Ａ分離／集積部
２２  入出金庫Ｂ分離／集積部
２３  入出金庫Ｃ分離／集積部
２４  入出金庫Ｄ分離／集積部
２５  補充回収ボックス分離／集積部
２６  搬送部
２７  鑑別部
２８  記憶部
２９  制御部
【図１】
0004807700.tif 000002
【図２】
0004807700.tif 000003
【図３】
0004807700.tif 000004